(57)【特許請求の範囲】
【請求項１】
造営材に埋め込まれる埋込型のスイッチの前面側に取着されて且つ化粧プレートの開口を通じて外部に露出するように設けられた操作用ハンドルの操作面に形成され、電子情報を表示可能な電子情報表示部と、
ネットワークを介して外部電子機器と通信し、該外部電子機器から所定の表示要求信号を取得する通信部と、
前記通信部に接続され、該通信部から前記表示要求信号が入力される信号入力部と、
前記信号入力部に入力された表示要求信号に応じて、前記電子情報表示部に表示する電子情報の表示内容を制御する表示制御部と
を備えることを特徴とする電子情報表示装置。
【請求項２】
造営材に埋め込まれる埋込型の配線器具の化粧プレートの前面に形成され、電子情報を表示可能な電子情報表示部と、
ネットワークを介して外部電子機器と通信し、該外部電子機器から所定の表示要求信号を取得する通信部と、
前記通信部に接続され、該通信部から前記表示要求信号が入力される信号入力部と、
前記信号入力部に入力された表示要求信号に応じて、前記電子情報表示部に表示する電子情報の表示内容を制御する表示制御部と
を備えることを特徴とする電子情報表示装置。
【請求項３】
前記信号入力部には、特定のセンシング対象を検知するセンサーが出力する電気信号が入力され、前記センサーからの電気信号が前記信号入力部に入力されると、前記表示制御部は前記センサーによる検知結果を電子情報として前記電子情報表示部に表示させることを特徴とする請求項１又は２に記載の電子情報表示装置。
【請求項４】
前記センサーは、前記化粧プレートに設置されていることを特徴とする請求項３に記載の電子情報表示装置。
【請求項５】
造営材に埋め込まれた埋め込みボックスに配設される埋込型の配線器具と、
前記埋め込みボックスに取り付けられ、前記配線器具を保持する取付枠と、
前記取付枠に取り付けられた化粧プレートと、
請求項１から４の何れか１項に記載の電子情報表示装置と
を備えることを特徴とする配線装置。
【請求項６】
造営材に埋め込まれる埋込型のスイッチの前面側に取着されて且つ化粧プレートの開口を通じて外部に露出するように設けられた操作用ハンドルであって、
前記操作用ハンドルの操作面に形成されると共に電子情報を表示可能な電子情報表示部と、
ネットワークを介して外部電子機器と通信し、該外部電子機器から所定の表示要求信号を取得する通信部と、
前記通信部に接続され、該通信部から前記表示要求信号が入力される信号入力部と、
前記信号入力部に入力された表示要求信号に応じて、前記電子情報表示部に表示する電子情報の表示内容を制御する表示制御部と
を備えることを特徴とする操作用ハンドル。
【請求項７】
造営材に埋め込まれる埋込型の配線器具の化粧プレートであって、
前記化粧プレートの前面に形成されると共に電子情報を表示可能な電子情報表示部と、
ネットワークを介して外部電子機器と通信し、該外部電子機器から所定の表示要求信号を取得する通信部と、
前記通信部に接続され、該通信部から前記表示要求信号が入力される信号入力部と、
前記信号入力部に入力された表示要求信号に応じて、前記電子情報表示部に表示する電子情報の表示内容を制御する表示制御部と
を備えることを特徴とする化粧プレート。
【請求項８】
請求項１に記載の複数の電子情報表示装置と、前記複数の電子情報表示装置の各々における前記電子情報表示部が形成される前記操作用ハンドルを有する複数のスイッチと、前記複数のスイッチにそれぞれ接続される複数の負荷機器と、を含む負荷制御システムであって、
前記各スイッチは、前記操作用ハンドルの操作によってオン、オフを切り替える制御対象の負荷機器である制御対象負荷を変更可能なプログラマブルスイッチであり、
前記各電子情報表示装置における前記通信部と通信可能な前記外部電子機器は、前記各スイッチの前記操作用ハンドルに対する前記制御対象負荷の割り当てを変更するための割り当て変更信号を発信する外部操作端末であり、
前記外部操作端末が発信した前記割り当て変更信号は、前記各電子情報表示装置の通信部に送信され、
前記各電子情報表示装置の前記表示制御部は、現在割り当てられている制御対象負荷に関する割り当て対象情報を前記電子情報表示部に表示させる、
負荷制御システム。
【請求項９】
前記各電子情報表示装置は、各スイッチの操作用ハンドルと、該操作用ハンドルに割り当てられている制御対象負荷である仮想制御対象とを対応付けた情報が記録されている負荷割り当てテーブルを記憶するメモリを備えており、
前記通信部による前記割り当て変更信号の受信を契機として、前記メモリにおける前記負荷割り当てテーブルが更新されると共に、該負荷割り当てテーブルに基づいて前記表示制御部は前記電子情報表示部に表示させる前記割り当て対象情報を変更する、
請求項８に記載の負荷制御システム。
【発明の詳細な説明】
【技術分野】
【０００１】
本発明は、電子情報表示装置、操作用ハンドル、化粧プレート、および配線装置に関する。
【背景技術】
【０００２】
従来から、居室の壁面など造営材に設置される配線装置として、屋内の居室等に設置される照明器具や、空調、換気扇等の制御対象の機器（以下、「負荷機器」と称する）をオン／オフするためのスイッチ装置が公知である。この種のスイッチ装置としては、造営材に埋め込まれた埋め込みボックスに固定される取付枠、取付枠の取付窓から前面を露出させた状態で取付枠に取り付けられる配線器具としてのスイッチ本体、取付枠に取り付けられると共に前面が外部に露出するように設けられる配線器具用プレート、スイッチ本体の前面に着脱自在に取り付けられると共に化粧プレートの開口を通じて外部に露出するように設けられるスイッチ操作用の操作用ハンドルなどを備えたものが広く知られている。
【０００３】
また、スイッチ装置の他にも、埋込型の配線器具としてコンセントなどが挙げられる。スイッチやコンセントなどといった埋込型の配線器具において、外部に露出する化粧プレートやスイッチの操作用ハンドルは外部に露出しているため、人の目に留まり易い。そのため、外観を向上させて高級感を得るなどの目的で、操作用ハンドル（スイッチ用ハンドル）の前面（操作面）や化粧プレートの前面に装飾模様を設けたものが提案されている。また、スイッチの用途に応じた表記がなされたネームカードを操作用ハンドルに配設したり、スイッチ本体内に発光手段を設け、この発光手段からの光を操作用ハンドルの操作面まで導光することでスイッチの動作状態を発光表示するスイッチ装置も提案されている。
【先行技術文献】
【特許文献】
【０００４】
【特許文献１】特開２００３−３１７５６２号公報
【発明の概要】
【発明が解決しようとする課題】
【０００５】
しかしながら、従来においては、操作用ハンドルの操作面や化粧プレートに装飾模様を付与することで意匠性を向上させ、あるいは、ネームプレートの配設や発光表示機能を付与することで操作用ハンドルの機能性を向上させるといった工夫は提案されているものの、操作用ハンドルの操作面や化粧プレートに新たな機能を付与するものではなく、いまだ改良の余地があると考えられる。本発明は、上記実情に鑑みてなされたものであり、その目的は、造営材に埋め込まれる埋込型の配線器具において、化粧プレートや操作用ハンドルなどといった外部に露出する部材に、従来には無い新たな機能を付与することでその利用用途の幅を拡大することの可能な技術を提供することにある。
【課題を解決するための手段】
【０００６】
本発明では、上述した課題を解決するために以下の手段を採用する。すなわち、本発明に係る電子情報表示装置は、造営材に埋め込まれる埋込型のスイッチの前面側に取着されて且つ化粧プレートの開口を通じて外部に露出するように設けられた操作用ハンドルの操作面に形成され、電子情報を表示可能な電子情報表示部と、所定の表示要求信号が入力される信号入力部と、前記信号入力部に入力された表示要求信号に応じて、前記電子情報表示部に表示する電子情報の表示内容を制御する表示制御部とを備えることを特徴とする。
【０００７】
また、別の観点によれば、本発明に係る電子情報表示装置は、造営材に埋め込まれる埋
込型の配線器具の化粧プレートの前面に形成され、電子情報を表示可能な電子情報表示部と、所定の表示要求信号が入力される信号入力部と、前記信号入力部に入力された表示要求信号に応じて、前記電子情報表示部に表示する電子情報の表示内容を制御する表示制御部とを備えることを特徴とする。
【０００８】
ここで、前記前記信号入力部には、特定のセンシング対象を検知するセンサーが出力する電気信号が入力され、前記センサーからの電気信号が前記信号入力部に入力されると、前記表示制御部は前記センサーによる検知結果を電子情報として前記電子情報表示部に表示させても良い。その場合、前記センサーは、前記化粧プレートに設置されていても良い。
【０００９】
また、本発明は、配線装置としても捉えることができる。すなわち、本発明は、造営材に埋め込まれた埋め込みボックスに配設される埋込型の配線器具と、前記埋め込みボックスに取り付けられ、前記配線器具を保持する取付枠と、前記取付枠に取り付けられた化粧プレートと、上述までの何れかの電子情報表示装置とを備える配線装置である。
【００１０】
更に、本発明は、操作用ハンドルや化粧プレートとしても捉えることができる。すなわち、本発明に係る操作用ハンドルは、造営材に埋め込まれる埋込型のスイッチの前面側に取着されて且つ化粧プレートの開口を通じて外部に露出するように設けられた操作用ハンドルであって、前記操作用ハンドルの操作面に形成されると共に電子情報を表示可能な電子情報表示部と、所定の表示要求信号が入力される信号入力部と、前記信号入力部に入力された表示要求信号に応じて、前記電子情報表示部に表示する電子情報の表示内容を制御する表示制御部とを備えることを特徴とする。
【００１１】
また、本発明に係る化粧プレートは、造営材に埋め込まれる埋込型の配線器具の化粧プレートであって、前記化粧プレートの前面に形成されると共に電子情報を表示可能な電子情報表示部と、所定の表示要求信号が入力される信号入力部と、前記信号入力部に入力された表示要求信号に応じて、前記電子情報表示部に表示する電子情報の表示内容を制御する表示制御部とを備えることを特徴とする。
【発明の効果】
【００１２】
本発明によれば、造営材に埋め込まれる埋込型の配線器具において、化粧プレートや操作用ハンドルなどといった外部に露出する部材に、従来には無い新たな機能を付与することでその利用用途の幅を拡大することができる。
【図面の簡単な説明】
【００１３】
【図１】実施例１に係る配線装置の分解斜視図である。
【図２】実施例１に係る配線装置の斜視図である。
【図３】実施例１に係る配線装置の側面図である。
【図４】実施例１に係る配線装置の使用状態を示す図である。
【図５】実施例１に係る配線装置の概略構成を示すブロック図である。
【図６】実施例１の電子ペーパーにおける電子情報の表示態様の一例を示す図である。
【図７】実施例１の電子ペーパーの表示態様の他のバリエーションを示す図である。
【図８】実施例２に係る配線装置の斜視図である。
【図９】実施例３に係る配線装置の斜視図である。
【図１０】実施例４に係る配線装置の正面図である。
【図１１】実施例５に係る負荷制御システムを説明するシステム概要図である。
【図１２】実施例５に係るスイッチ装置の内部構成を示す図である。
【図１３】実施例５に係る割り当て管理テーブルを模式的に示す図である。
【発明を実施するための形態】
【００１４】
以下に図面を参照して、本発明に係る配線装置、およびこの配線装置に組み込まれる電子情報表示装置を実施するための形態を例示的に詳しく説明する。尚、本実施の形態に記載されている構成要素の寸法、材質、形状、その相対配置等は、特に特定的な記載がない限りは、発明の技術的範囲をそれらのみに限定する趣旨のものではない。
【００１５】
＜実施例１＞
本実施例における配線装置は、造営材に埋め込まれた埋め込みボックスに配設される埋込型の配線器具（スイッチ、コンセント等）と、この配線器具を保持する取付枠と、この取付枠に取り付けられた配線器具用プレートと、電子情報表示装置とを含んで構成されている。本実施例においては、配線器具としてスイッチを採用している。
【００１６】
図１は、実施例１に係る配線装置１の分解斜視図である。図２は、実施例１に係る配線装置１の斜視図である。図３は、実施例１に係る配線装置１の側面図である。以下の説明では特に断りが無い限り、図２に示す向きにおいて上下左右の方向を規定し、図２中の正面を前面として説明を行う。本実施例に係る配線装置１は、以下に説明するように、外部に露出する操作用ハンドルの前面（操作面）を、電子情報を掲示する掲示スペースとして利用することを特徴としている。
【００１７】
配線装置１は、配線器具としてのスイッチ本体１１と、スイッチ本体１１の前面に対向する形で配設され一端部がスイッチ本体１１に枢着される操作用ハンドル１２とを備える。スイッチ本体１１は、押釦ハンドル１１１を備え、この押釦ハンドル１１１の押し操作がなされる毎に内蔵する接点を反転させる。ここで、スイッチ装置１には、例えば商用交流電源などの電源と、照明器具などの負荷機器とを含む直列回路が接続されている。押釦ハンドル１１１の押し操作に応じて、スイッチ本体１１に内蔵される接点のオン／オフが切り替わることで、負荷機器と電源との間のオン／オフ状態、すなわち負荷機器のオン／オフが切り替えられる。
【００１８】
操作用ハンドル１２は、スイッチ本体１１に枢着されていない方の端部裏面で押釦ハンドル１１１を押し操作することが可能な所謂ピアノハンドルである。更に、操作用ハンドル１２は、その前面として形成される操作面１２１の面積がスイッチ本体１１の前面よりも大きく形成された所謂ワイドハンドルでもある。
【００１９】
スイッチ本体１１の器体は、器具取付用の窓孔２ａを有した取付枠２に保持されている。この取付枠２は、造営材（例えば、居室の壁面）に埋め込まれた埋め込みボックス（図示せず）に取り付けられる。取付枠２の前面側には取付枠２の窓孔２ａよりも長寸かつ広幅の開口窓３ａを備える化粧プレート（配線器具用プレート）３が配置される。取付枠２は、例えば大角連用形（ＪＩＳ Ｃ８３０４参照）によって規格化されている埋込型配線
器具の施工時に用いる取付枠である。スイッチ本体１１は、その短手方向の寸法が、取付枠２の窓孔２ａにおける長手方向の寸法の略３分の１の寸法に形成されており、これによって、取付枠２に対してスイッチ本体１１を３個まで取り付け可能となっている。スイッチ本体１１は、周知の機構を用いて取付枠２に取り付けられている。
【００２０】
化粧プレート３は、例えばＡＢＳ樹脂のような合成樹脂によって形成された成形品である。化粧プレート３には、矩形枠状に形成されており、操作用ハンドル１２を外部に露出させるための開口窓３ａを有する。また、化粧プレート３には、取付ねじが挿通される挿通孔が設けてあり、この取付ねじによって取付枠２に取り付けられるように構成されている。配線装置１の組み立て施工に際しては、スイッチ本体１１を取り付けた取付枠２に、取付ねじを用いて化粧プレート３を取り付けるとともに、スイッチ本体１１の前面側に操
作用ハンドル１２を取り付ける。このようにして、壁面に埋め込まれた埋め込みボックスに配設される配線装置１において、化粧プレート３の開口窓３ａを通して操作用ハンドル１２の一部を化粧プレート３の前方に突出させることができ、扱い者（使用者）はこの状態で操作用ハンドル１２を押操作することができる。
【００２１】
図４は、実施例１に係る配線装置１の使用状態を示している。図示のように、配線装置１は、例えば居室の出入り口４１近傍の壁４０に設置されており、居室内に設置された照明器具などの負荷機器をオン／オフするために使用される。図中の符号４２は、居室内における所定の検知エリア内における人の存否を検知する人体検知センサー（人感センサー）である。符号４３は、例えばガス漏れを検知する異常検知センサーである。尚、異常検知センサー４３が検知する対象（センシング対象）はガス漏れに限られるものではなく、火災などの異常を検知するセンサー、あるいは、検知エリアにおける温度、湿度などを検出するセンサーと置換したり、あるいは複数のセンサーを併設しても良い。
【００２２】
配線装置１における操作用ハンドル１２の操作面（前面）１２１には、電子情報を表示（掲示）する電子情報表示部としての電子ペーパー５が形成されている（図１、図２を参照）。本実施例では、操作用ハンドル１２の操作面１２１の略全面にわたって電子ペーパー５が平面ディスプレイとして形成されているが、これに限定されるものではない。電子ペーパー５は、電気的な手段で電子情報の表示及び消去が可能な薄膜平面ディスプレイであり、無電力状態でも表示した電子情報を維持することができる。より具体的には、電子ペーパー５は、光電導層、光吸収層、表示層を２つの透明電極の間に挟んでなる周知の光書き込み型電子ペーパーであって、透明電極を介して受光した光像（受光パターン）に応じて光電導層の抵抗が変化し、表示層を形成するコレスティック液晶の配向が変化することで光を選択的に反射する。電子ペーパー５は、光像をコレスティック液晶の配向方向として表示層に記憶する。このようにして表示層に記憶された光像は、電源を切っても消えない不揮発性であるが、透明電極の電圧制御により消去することが可能である。
【００２３】
図５は、実施例１に係る配線装置１の概略構成を示すブロック図である。スイッチ本体１１には、商用交流電源などの電源１００と、照明器具などの負荷機器Ｌとを含む直列回路が接続されている。符号１１２は、押釦ハンドル１１１（図１を参照）の押し操作に応じて、スイッチ本体１１に内蔵される接点のオン／オフを切り替える開閉装置である。押釦ハンドル１１１のオン／オフは、操作用ハンドル１２の切り替え操作に応じて切り替わるようになっている。
【００２４】
配線装置１は、インターフェースである信号入力部６、電子ペーパー５の表示状態を制御する表示制御部として機能するＣＰＵ（プロセッサ）７、メモリ８、電源部９を備える。信号入力部６は、所定の表示要求信号が入力される。この表示要求信号とは、電子ペーパー５に電子情報を表示する要求信号であり、本実施例では、所定の事象の発生に応じた事象発生信号が外部から入力される。信号入力部６には、図４に示した人体検知センサー４２、異常検知センサー４３、通信部１０が接続されている。
【００２５】
通信部１０は、携帯電話端末やパソコン等の外部電子機器４４と通信する通信モジュールである。例えば、通信部１０は、外部電子機器４４と無線ネットワーク又は有線ネットワークを介して通信することができる。有線ネットワーク又は無線ネットワークは、例えば、電話回線、ネットワーク回線、ケーブル（光ケーブル、金属ケーブルを含む）、無線リンク、携帯電話アクセス回線、ＰＨＳ［Personal Handyphone System］網、無線ＬＡＮ［Local Area Network］、Bluetooth（ブルートゥース特別利益団体の商標）などからネ
ットワークが例示できる。人体検知センサー４２、異常検知センサー４３、外部電子機器４４が出力する信号は、上記表示要求信号として信号入力部６に入力される。
【００２６】
ＣＰＵ７は、信号入力部６を介して入力された表示要求信号に基づいて、電子ペーパー５に表示させる電子情報の表示内容を制御することで表示制御部として機能する。メモリ８は、信号入力部６に入力された各種表示要求信号を記憶したり、ＣＰＵ７に実行させるための動作プログラムが記憶されている。つまり、ＣＰＵ７は、メモリ８に記憶されている動作プログラムを実行することにより、電子ペーパー５に表示させる電子情報の表示内容を制御する。メモリ８は、揮発性のＤＲＡＭ（Dynamic Random Access Memory）、不揮発性のＥＰＲＯＭ（Erasable Programmable Read Only Memory）、ＥＥＰＲＯＭ（Electronically Erasable and Programmable Read Only Memory）、フラッシュメモリ等を含む
。
【００２７】
電源部９は、電源１００の交流電圧を所望の電圧値の直流電圧に変換して、電子ペーパー５、ＣＰＵ７、メモリ８などに供給する動作電源を生成する。なお、信号入力部６、ＣＰＵ７、メモリ８、および電源部９などを構成する回路部品は、例えば図示しないプリント配線基板に実装されるなどして、スイッチ本体１１の器体内に収納されている。或いは、上記プリント配線基板は、埋め込みボックス内の収容空間にスイッチ本体１１と別に配設されても良いし、化粧プレート３の筐体内に収納されても良い。本実施例における電子情報表示装置は、電子ペーパー５、ＣＰＵ７、メモリ８、電源部９、通信部１０を含んで構成されている。
【００２８】
次に、ＣＰＵ７による電子ペーパー５の制御動作について説明する。信号入力部６には、他の外部電子機器４４からの通知信号が通信部１０を介して入力され、人体検知センサー４２からの人体検知信号、異常検知センサー４３からの異常検知信号などが有線によって入力される。これらの各種信号は、所定の事象が発生したという事実を電子ペーパー５に電子情報として表示させるための表示要求信号の例示である。信号入力部６に表示要求信号が入力されると、それに連動して、ＣＰＵ７は、信号入力部６に入力された表示要求信号に応じて電子ペーパー５に表示させる電子情報の表示内容を制御する。その際、ＣＰＵ７は、表示要求信号に適した内容の電子情報を電子ペーパー５に表示させる表示制御部として機能する。
【００２９】
ここで、図６は、実施例１に係る電子ペーパー５の表示態様の一例を示す図である。（ａ）は、人体検知センサー４２が不法侵入者を検知した場合の表示態様を示す。（ｂ）は、異常検知センサー４３がガス漏れ異常を検知した場合の表示態様を示す。（ｃ）および（ｄ）は、特定の外部電子機器４４から通知信号が出力された場合の表示態様を示す。ここでは、特定の携帯電話端末（例えば、登録済みの携帯電話端末）を外部電子機器４４としており、（ｃ）は当該特定の携帯電話端末が他の端末から着信した場合の表示態様を示し、（ｄ）は特定の携帯電話端末が他の端末からメールを受信した場合における表示態様を示している。
【００３０】
外部電子機器４４としては、携帯電話に限られず他の機器を適用しても良い。例えば外部電子機器４４として、インターホン親機、炊飯器、給湯器などが例示できる。例えば、インターホン親機がドアホン子機からの呼出に応じて通知信号を出力した場合、ＣＰＵ７は、信号入力部６への通知信号の入力に応じて、「来訪者あり」とのメッセージを電子情報として電子ペーパー５に表示させても良い。また、炊飯器や給湯器などのスイッチ操作に応じて所定の動作を行う外部電子機器４４が、所定の動作（炊飯や湯沸かしなど）を完了した場合に通知信号を出力した場合、ＣＰＵ７は、所定の動作が完了したこと（例えばご飯の炊き上がりやお湯が沸騰したこと）を示すメッセージを電子情報として電子ペーパー５に表示させても良い。
【００３１】
図７に、電子ペーパー５における表示態様の他のバリエーションを示す。例えば、（ａ）は信号入力部６に地震速報に関する情報信号が入力された場合、（ｂ）は信号入力部６
に天気予報に関する情報信号が入力された場合の電子ペーパー５の表示態様を例示している。ここで、地震速報や天気予報に関する情報信号は、特定のサーバーから受信するようにしても良い。（ｃ）は、信号入力部６に温度および湿度に関する検出信号が入力された場合の電子ペーパー５の表示態様を例示している。信号入力部６に入力される温度および湿度に関する検出信号は、例えばスイッチ装置１の近傍に設置された温度センサーや湿度センサーから出力されても良い。
【００３２】
以上のように、本実施例における配線装置１およびこれに組み込まれた電子情報表示装置によれば、従来は、スイッチ本体１１の押釦ハンドル１１１の押し操作を行う用途のみに用いられていた操作用ハンドル１２の操作面１２１に電子ペーパー５を形成し、それを電子情報の掲示スペースとして利用することが可能である。これによれば、操作用ハンドル１２を電子情報掲示ボードとして利用する事ができ、従来には無い新たな機能を操作用ハンドル１２に付与（付加）することができる。よって、配線装置１に付加価値を付与することができると共に、その利用用途の幅を拡大することができる。特に、操作用ハンドル１２の操作面１２１は、いわゆるワイドハンドルであるため、電子情報を表示する表示スペースを確保し易いといったメリットがある。
【００３３】
本実施例の配線装置１によれば、電子情報の表示スペースとして操作用ハンドル１２の操作面１２１を利用するため、電子情報を表示する電子情報表示装置を居室内に別途設置する場合に比べて、居室スペースの有効活用に資することができる。更に、配線装置１は、通常、居室の出入り口などの人目に付き易い場所に設けられる。よって、このように人目に付き易い場所に設置される配線装置１の操作用ハンドル１２を電子情報の表示媒体として利用することで、必要な情報をユーザーに確実に提供することが可能となる。また、配線装置１は、通常、１の居室内に少なくとも１つは設置されているため、配線装置１の操作用ハンドル１２を電子情報の表示媒体として利用することによって、電子情報の表示スペースを容易に確保することができる。
【００３４】
また、本実施例に係る電子情報表示装置は、配線装置１に組み込むように構成したので、規格化された埋め込みボックスを利用し、電子ペーパー５やＣＰＵ７などの電子情報を制御する電子部品への動作電圧を、電源１００と負荷機器Ｌを含む直列回路から供給することができる。したがって、電子情報表示装置用に別途の電源装置を設ける必要が無く、イニシャルコストおよびランニングコストの削減に寄与することができる。
【００３５】
なお、上記構成の配線装置１では、操作用ハンドル１２の操作面１２１に形成する電子情報表示部として電子ペーパー５を採用したが、これには限定されず、他種の平面ディスプレイを採用することができる。例えば、電子情報表示部として、有機ＥＬディスプレイを好適に採用することができる。電子ペーパー５を有機ＥＬディスプレイに置き換えた場合においても、ＣＰＵ７が実行する制御内容は上記内容と共通とすることができる。すなわち、ＣＰＵ７は、事象の発生に応じて外部から信号入力部６に入力された各種事象発生信号に応じて、有機ＥＬディスプレイに表示させる電子情報の表示内容を制御することができるので、上述した実施例１に係る配線装置１と同様の効果を奏することが可能である。
【００３６】
また、本実施例の電子情報表示装置は、操作用ハンドル１２の筐体内部に配設することも可能である。すなわち、この構成によれば、操作用ハンドル１２に上述の電子ペーパー５、ＣＰＵ７、メモリ８などが備えられる。このように電子情報表示装置を操作用ハンドル１２に組み込む場合、既存の配線装置に操作用ハンドルを本実施例に係る操作用ハンドル１２に付け替えれば、既存の配線装置に新たな機能を付与することができるというメリットがある。すなわち、特別な配線工事などが不要となり、使い勝手が良い。
【００３７】
なお、電子ペーパー５およびＣＰＵ７の駆動電源は、操作用ハンドル１２の筐体内に電池（例えば、ボタン電池）を収容し、当該電池から上記駆動電力を供給しても良い。また、操作用ハンドル１２の操作面１２１に光エネルギーを電力に変換する、例えば太陽電池などの光電変換装置を設置し、この光電変換装置から電子情報表示装置に駆動電力を供給しても良い。勿論、埋め込みボックス内に引き込まれた電源配線を通じて、操作用ハンドル１２に電子情報表示装置の駆動電力を供給しても良い。例えば、操作用ハンドル１２の裏面（操作面と逆の面）から埋め込みボックス側に向けて配線を出し、この配線を埋め込みボックス内に引き込まれた電源配線と接続しても良い。また、非接触電力伝送（ワイヤレス給電や非接触電力伝達、無接点電力伝送とも称呼される）の技術を利用して、金属接点やコネクタなどを介さずに埋め込みボックス内から操作用ハンドル１２内の電子情報表示装置に駆動電力を供給しても良い。
【００３８】
＜実施例２＞
次に、実施例２に係る配線装置１Ａを説明する。図８は、実施例２に係る配線装置１Ａの斜視図である。本実施例における配線装置１Ａは、実施例１の配線装置１と同様に、造営材に埋め込まれる埋込型のスイッチ装置である。配線装置１Ａは、化粧プレート（配線器具用プレート）３に対して、図４に示す各種センサーが配設されている点で実施例１と相違する。その他の基本構成については実施例１の配線装置１と同様である。
【００３９】
図８に示すように、化粧プレート３には、人体検知センサー４２、異常検知センサー４３、温度センサー４５、湿度センサー４６が配置されている。これら各種センサーについては、実施例１において述べたものと同等の機能を有しており、その詳細な説明は省略する。上記各種センサーが出力する検出信号は、表示要求信号として信号入力部６に入力される。本実施例に係る配線装置１Ａにおいては、化粧プレート３に各種センサーを配置したので、天井面や壁面などの造営材に上記センサーを設置する必要が無く、センサーから配線装置１Ａまでの配線工事を行う必要もないため、施工費用の低減を図ることができる。なお、化粧プレート３に配置するセンサーの種類は上記の例に限定されるものではなく、種々のセンサーを配置することができる。
【００４０】
＜実施例３＞
次に、実施例３について説明する。上述までの実施例では、スイッチ本体１１のオン／オフを切り替える操作用ハンドル１２の操作面１２１に電子ペーパー５を形成する場合を説明したが、本実施例では、配線装置１に係る化粧プレート（配線器具用プレート）３のプレート前面３１に電子ペーパー５を形成するようにした。図９に、実施例３に係る配線装置１Ｂの斜視図を示す。配線装置１Ｂは、上述までの実施例と同様に、造営材に埋め込まれる埋込型のスイッチ装置である。配線装置１Ｂに係る化粧プレート３のプレート前面３１に、電子情報を表示可能な電子ペーパー５（電子情報表示部）を形成することにより、上記各実施例と同様に、配線装置１に新たな機能を付与し、その利用価値を高めることができる。
【００４１】
＜実施例４＞
次に、実施例４について説明する。上述までの実施例では、配線装置１が備える配線器具としてスイッチ本体１１を例示したが、配線器具はこれに限定されるものではなく、例えば、プラグの差込口１１５を有するコンセントであっても良い。図１０は、実施例４に係る配線装置１Ｃの正面図である。本実施例に係る配線装置１Ｃは、コンセント１１Ａを備えるコンセント装置であり、外部に露出する化粧プレートとしてコンセントプレート３Ａを備える。本実施例では、コンセントプレート３Ａのプレート前面３１に、電子情報を表示可能な電子情報表示部である電子ペーパー５が形成されている。このような構成によっても、上記各実施例と同様に、配線装置１に新たな機能を付与し、その利用価値を高めることができる。なお、実施例１で述べた通り、電子ペーパー５の代わりに、有機ＥＬデ
ィスプレイなどの他種の平面ディスプレイを採用しても良い。なお、コンセント１１Ａが備える差込口１１５の数は、特定の数に限定されず、適宜変更することができる。
【００４２】
＜実施例５＞
次に、実施例５について説明する。実施例５では、複数の負荷機器Ｌを制御するための負荷制御システムＳについて説明する。図１１は、負荷制御システムＳを説明するシステム概要図である。負荷制御システムＳは、電源１００と、複数のスイッチ装置１Ｄと、複数の負荷機器Ｌを含み、これらが電力線１０１を介して接続されている。図示の例では、３つの負荷機器Ｌ１〜Ｌ３が電力線１０１を介して電源１００と並列に接続されており、各負荷機器Ｌにはスイッチ装置１Ｄ−１〜１Ｄ−３が対応して設けられている。なお、図１１に示す負荷制御システムＳに含まれる負荷機器の数は特定の数に限定されるものではない。
【００４３】
図１２は、実施例５に係るスイッチ装置１Ｄの内部構成を示す図である。上述までの実施例と同一の構成要素については共通の符号を付すことで、その詳しい説明を省略する。スイッチ装置１Ｄは、例えば実施例１に係る配線装置（スイッチ装置）１と同様、電子ペーパー５、信号入力部６、ＣＰＵ７、メモリ８、電源部９、通信部１０等を備える。スイッチ装置１Ｄは、リレースイッチ１１３、駆動ドライバ１０３を備える。リレースイッチ１１３は、駆動ドライバ１０３によって駆動され、スイッチ装置１Ｄに対応する負荷機器Ｌの電源１００との導通および遮断状態を切り替えることで、負荷機器Ｌに対する電力供給のオン、オフを切り替える。また、駆動ドライバ１０３は、ＣＰＵ７からの制御信号を受けてリレースイッチ１１３を駆動することができる。
【００４４】
スイッチ装置１Ｄにおける通信部１０は、実施例１において述べた外部電子機器４４の一例として、外部操作端末４４Ａと無線ネットワークを介して通信可能となっている。更に、負荷制御システムＳに含まれるスイッチ装置１Ｄ（１Ｄ−１〜３）同士は、無線ネットワークを介して互いに通信可能になっている。本実施例では、無線ネットワークを介してスイッチ装置１Ｄ（１Ｄ−１〜３）同士の通信、および各スイッチ装置１Ｄと外部操作端末４４Ａとの間の通信を行う場合を説明するが、有線ネットワークを利用して通信を行うようにしても良い。
【００４５】
スイッチ装置１Ｄにおいて、スイッチ本体１１に設けられるスイッチ操作検出部１１４からの検出信号が信号入力部６に入力される。スイッチ操作検出部１１４は、利用者による操作用ハンドル１２の操作によって、スイッチ本体１１の押釦ハンドル１１１が切り替えられたことを検出し、その検出信号（以下、「スイッチ切替要求信号」という）を信号入力部６に出力する。
【００４６】
本実施例に係る負荷制御システムＳにおいては、各スイッチ装置１Ｄは所謂プログラマブルスイッチとして機能する。すなわち、操作用ハンドル１２のハンドルを操作によってオン、オフを切り替えることが可能な負荷機器Ｌ（以下、「制御対象負荷」ともいう）とスイッチ装置１Ｄとの対応関係を自由に変更することができる。具体的には、スイッチ装置１Ｄ毎に割り当てられている制御対象負荷を、外部操作端末４４Ａから各スイッチ装置１Ｄに一斉配信される指示信号に基づいて変更する。ここで、一のスイッチ装置１Ｄに割り当てられる制御対象負荷の数は特に限定されず、一のスイッチ装置１Ｄに複数の負荷機器Ｌを割り当てることも可能である。
【００４７】
ここで、各スイッチ装置１Ｄにおけるメモリ８には、図１３に示す負荷割り当てテーブルＴＬが記憶されている。図１３は、実施例５に係る割り当て管理テーブルＴＬを模式的に示す図である。図１３に示すように、割り当て管理テーブルＴＬは、システムＳに含まれるスイッチ装置１Ｄと同数のレコードを有している。ここで、各レコードは、「スイッ
チ装置」、「ハンドル」、「物理制御対象」、「仮想制御対象」のフィールドを有している。
【００４８】
「スイッチ装置」のフィールドは、各スイッチ装置１Ｄに対応する識別情報（１Ｄ−１、１Ｄ−２、１Ｄ−３）が記憶されるフィールドである。「ハンドル」のフィールドは、各スイッチ装置１Ｄ−１、１Ｄ−２、１Ｄ−３が備える操作用ハンドル１２に対応する識別情報（ＨＤ１、ＨＤ２、ＨＤ３）が記録されるフィールドである。「物理制御対象」のフィールドは、各スイッチ装置１Ｄにおけるリレースイッチ１１３が作動することで通電のオン、オフ状態が切り替わる制御対象負荷に対応する識別情報が記録されるフィールドである。「仮想制御対象」のフィールドは、現在の各操作用ハンドル１２（ＨＤ１、ＨＤ２、ＨＤ３）に対して割り当てられている制御対象負荷に対応する識別情報が記録されるフィールドである。
【００４９】
「仮想制御対象」に記録される識別情報は、利用者の操作によって外部操作端末４４Ａから発信された割り当て変更信号を各スイッチ装置１Ｄが受信すると、ＣＰＵ７は割り当て管理テーブルＴＬにおける「仮想制御対象」のフィールドに記録されている識別情報を書き換える。外部操作端末４４Ａから配信される割り当て変更信号の配信は、例えばブロードキャスト送信によって各スイッチ装置１Ｄに一斉に送信される。そして、外部操作端末４４Ａから割り当て変更信号を受信した各スイッチ装置１Ｄは、上記のようにメモリ８に保存している割り当て管理テーブルＴＬを更新する。従って、各スイッチ装置１Ｄのメモリ８に保存されている割り当て管理テーブルＴＬは、同一の状態となっている。
【００５０】
ここで、図１３に示す割り当て管理テーブルＴＬにおいて、「仮想制御対象」のフィールドは、スイッチ装置１Ｄ−１（ＨＤ１）に負荷機器Ｌ１が対応付けられ、スイッチ装置１Ｄ−２（ＨＤ２）に負荷機器Ｌ３が対応付けられ、スイッチ装置１Ｄ−３（ＨＤ３）に負荷機器Ｌ１および負荷機器Ｌ２が対応付けられた状態となっている。ここで、各スイッチ装置１Ｄは、各々の操作用ハンドル１２の操作面１２１に形成された電子ペーパー５に、現在の制御対象負荷に関する情報（以下、「割り当て対象情報」という）を表示させる。この割り当て対象情報は、図１３に示した割り当て管理テーブルＴＬにおける「仮想制御対象」のフィールド情報に対応する。
【００５１】
すなわち、図１３に示す状態では、現在、例えばスイッチ装置１Ｄ−２の操作用ハンドル１２（ＨＤ２）には負荷機器Ｌ３が割り当てられている。従って、スイッチ装置１Ｄ−２のＣＰＵ７は、自装置に設けられている操作用ハンドル１２の操作面１２１に、負荷機器Ｌ３が制御対象負荷であることを示す電子情報を表示させる。例えば、負荷機器Ｌ３が「リビングの照明」である場合には、「リビングの照明機器」との電子文字情報を操作面１２１に表示させても良い。そして、前述のように、外部操作端末４４Ａからの割り当て変更信号の受信を契機として割り当て管理テーブルＴＬが更新されると、ＣＰＵ７は、更新後における割り当て管理テーブルＴＬの「仮想制御対象」のフィールド情報に基づいて、電子ペーパー５によって操作面１２１に表示させる電子情報の表示態様を変更する。なお、割り当て管理テーブルＴＬの更新前後において、自装置における「リレースイッチ」と「仮想制御対象」との対応関係が変更されない場合には、操作面１２１への表示態様を変更する必要はない。
【００５２】
次に、利用者が各スイッチ装置１Ｄの操作用ハンドル１２を操作する際に行われる処理内容について説明する。ここでは、各スイッチ装置１Ｄのメモリ８に保存されている割り当て管理テーブルＴＬが図１３に示す状態である場合を例に説明する。例えば、利用者が、負荷機器Ｌ１のオン、オフを切り替えるべくスイッチ装置１Ｄ−１の操作用ハンドル１２を操作すると、スイッチ装置１Ｄ−１のスイッチ操作検出部１１４がスイッチ切替要求信号を出力する。このスイッチ切替要求信号を取得したスイッチ装置１Ｄ−１のＣＰＵ７
は、割り当て管理テーブルＴＬを参照して、現在の「仮想制御対象」のフィールド情報を読み出し、「物理制御対象」のフィールド情報と一致しているかどうかを判別する。図１３の例では、現在の「仮想制御対象」のフィールド情報と「物理制御対象」のフィールド情報が共に「Ｌ１」であり、一致している。この場合、スイッチ装置１Ｄ−１のＣＰＵ７は、スイッチ装置１Ｄ−１の駆動ドライバ１０３にリレースイッチ１１３を駆動するための制御信号を出力し、駆動ドライバ１０３にリレースイッチ１１３を切り替えさせることで、負荷機器Ｌ１の通電状態を切り替える。
【００５３】
次に、利用者が負荷機器Ｌ３の通電状態を切り替える場合を説明する。現在、各スイッチ装置１Ｄにおける割り当て管理テーブルＴＬが図１３に示す状態の場合、スイッチ装置１Ｄ−２における操作用ハンドル１２の操作面１２１に、「負荷機器Ｌ３」が制御対象負荷であることを示す内容の電子情報が表示されている。そこで、利用者は、「負荷機器Ｌ３」のオン、オフを切り替えるべく、スイッチ装置１Ｄ−２の操作用ハンドル１２を操作する。その結果、スイッチ装置１Ｄ−２のスイッチ操作検出部１１４がスイッチ切替要求信号を出力する。スイッチ装置１Ｄ−２のスイッチ操作検出部１１４が出力したスイッチ切替要求信号を取得したＣＰＵ７は、割り当て管理テーブルＴＬを参照して、現在の「仮想制御対象」のフィールド情報を読み出し、「物理制御対象」のフィールド情報と一致しているかどうかを判別する。双方のフィールド情報が一致している場合の処理内容は前述した通りである。
【００５４】
図１３に示す状態では、スイッチ装置１Ｄ−２のＣＰＵ７が対応する「仮想制御対象」から読み出したフィールド情報は「Ｌ３」であり、「物理制御対象」から読み出したフィールド情報の「Ｌ２」と相違している。そこで、スイッチ装置１Ｄ−２のＣＰＵ７は、自装置における現在の「仮想制御対象」のフィールド情報に対応する「物理制御対象」のフィールド情報と有する「スイッチ装置」を読み出す。ここでは、現在の「仮想制御対象」のフィールド情報が「Ｌ３」であるため、「物理制御対象」のフィールド情報として「Ｌ３」が記録されている「スイッチ装置１Ｄ−３」が読み出さる。そこで、スイッチ装置１Ｄ−２は、スイッチ装置１Ｄ−３に対してスイッチ切替指令信号を送信する。
【００５５】
スイッチ切替指令信号を受信したスイッチ装置１Ｄ−３は、ＣＰＵ７が駆動ドライバ１０３にリレースイッチ１１３を駆動する制御信号を出力する。このようにして、スイッチ装置１Ｄ−３のリレースイッチ１１３を作動することで、負荷機器Ｌ３の通電状態を切り替えることができる。
【００５６】
なお、上記の処理内容では、スイッチ操作検出部１１４が出力したスイッチ切替要求信号を取得したＣＰＵ７が、特定の他のスイッチ装置１Ｄへとスイッチ切替指令信号を出力したが、取得したスイッチ切替要求信号を他のスイッチ装置１Ｄに一斉配信しても良い。例えば、上記の場合には、スイッチ装置１Ｄ−２から、スイッチ切替要求信号がスイッチ装置１Ｄ−１および１Ｄ−３の双方に送信される。スイッチ切替要求信号が転送されたスイッチ装置１Ｄ−１、１Ｄ−３は、割り当て管理テーブルＴＬを参照し、自装置に係る「物理制御対象」のフィールド情報が、スイッチ切替要求信号の発信元（ここでは、スイッチ装置１Ｄ−２が該当する）に対応する「仮想制御対象」のフィールド情報の少なくとも一部に一致しているか否かを判定する。そして、自装置の「物理制御対象」が、上記スイッチ切替要求信号の発信元装置の「仮想制御対象」の全部又は一部に一致している場合、ＣＰＵ７から駆動ドライバ１０３にリレースイッチ１１３を駆動する制御信号を出力すると良い。ここで、「少なくとも一部に一致する（全部又は一部に一致する）」とは、「仮想制御対象」に複数の制御対象負荷が割り当てられる場合があるからである。この場合には、「物理制御対象」が「仮想制御対象」の一部に合致することになる。
【００５７】
図１３に示す例では、スイッチ装置１Ｄ−３が、上記条件に合致するスイッチ装置とな
る。すなわち、スイッチ装置１Ｄ−３に係る「物理制御対象」のフィールド情報（Ｌ３）が、スイッチ切替要求信号の発信元（スイッチ装置１Ｄ−２）に対応する「仮想制御対象」のフィールド情報（Ｌ３）に一致するからである。従って、この場合、スイッチ装置１Ｄ−３のリレースイッチ１１３がＣＰＵ７からの制御信号に基づいて作動することで、利用者の要求通り負荷機器Ｌ３の通電状態を切り替えることができる。
【００５８】
次に、利用者が負荷機器Ｌ１およびＬ２を同時に切り替える場合を説明する。現在、スイッチ装置１Ｄ−３における操作用ハンドル１２の操作面１２１に、負荷機器Ｌ１およびＬ２が制御対象負荷であることを示す電子情報が表示されている。そこで、利用者は、負荷機器Ｌ１、Ｌ２を一斉操作するべく、スイッチ装置１Ｄ−３の操作用ハンドル１２を操作する。その結果、スイッチ装置１Ｄ−３のスイッチ操作検出部１１４がスイッチ切替要求信号を出力する。スイッチ切替要求信号を取得したスイッチ装置１Ｄ−３のＣＰＵ７は、割り当て管理テーブルＴＬを参照して、現在の「仮想制御対象」のフィールド情報を読み出し、「物理制御対象」のフィールド情報と一致しているかどうかを判別する。双方のフィールド情報が一致している場合の処理内容は前述した通りである。
【００５９】
図１３に示す状態では、スイッチ装置１Ｄ−３のＣＰＵ７が対応する「仮想制御対象」から読み出したフィールド情報は「Ｌ１＋Ｌ２」であり、「物理制御対象」から読み出したフィールド情報の「Ｌ３」とは相違する。なお、ここでの「Ｌ１＋Ｌ２」との表記は、スイッチ装置１Ｄ−３に現在割り当てられている「仮想制御対象」が「Ｌ１」および「Ｌ２」であることを意味する。そこで、スイッチ装置１Ｄ−３のＣＰＵ７は、自装置における現在の「仮想制御対象」のフィールド情報に対応する「物理制御対象」のフィールド情報と有する「スイッチ装置」を読み出す。ここでは、現在の「仮想制御対象」のフィールド情報が「Ｌ１＋Ｌ２」であるため、「物理制御対象」のフィールド情報として「Ｌ１」が記録されている「スイッチ装置１Ｄ−１」と、「物理制御対象」のフィールド情報として「Ｌ２」が記録されている「スイッチ装置１Ｄ−２」が読み出される。
【００６０】
スイッチ装置１Ｄ−３のＣＰＵ７は、上記のように割り当て管理テーブルＴＬから読み出した「スイッチ装置」のフィールド情報に対応するスイッチ装置１Ｄ−１、１Ｄ−２に対して、スイッチ切替指令信号を送信する。その結果、スイッチ装置１Ｄ−１、１Ｄ−２の各々のＣＰＵ７は、駆動ドライバ１０３にリレースイッチ１１３を駆動する制御信号を出力する。その結果、スイッチ装置１Ｄ−１およびスイッチ装置１Ｄ−２のリレースイッチ１１３が作動し、負荷機器Ｌ１および負荷機器Ｌ２の通電状態を切り替えることができる。
【００６１】
なお、スイッチ装置１Ｄ−３のＣＰＵ７は、上記スイッチ切替指令信号を送信する代わりに、スイッチ操作検出部１１４から取得したスイッチ切替要求信号を他のスイッチ装置１Ｄ（１Ｄ−１、１Ｄ−２）に一斉配信し、当該信号を受信した他のスイッチ装置１Ｄ（１Ｄ−１、１Ｄ−２）のＣＰＵ７に自装置に係るリレースイッチ１１３を駆動させて、制御対象負荷への通電状態を切り替えるべきか否かを判別させても良い。この場合、スイッチ装置１Ｄ−１、１Ｄ−２の各ＣＰＵ７は、自装置に係る「物理制御対象」のフィールド情報が、スイッチ切替要求信号の発信元（スイッチ装置１Ｄ−３）に対応する「仮想制御対象」のフィールド情報の少なくとも一部に一致しているか否かを判定する。そして、肯定判定がなされた場合、当該肯定判定をなしたＣＰＵ７は、駆動ドライバ１０３にリレースイッチ１１３を駆動する制御信号を出力すると良い。本ケースでは、スイッチ装置１Ｄ−１、１Ｄ−２の双方に割り当てられている「物理制御対象」が、スイッチ切替要求信号の発信元（スイッチ装置１Ｄ−３）に対応する「仮想制御対象」の一部を構成するため、スイッチ装置１Ｄ−１、１Ｄ−２の双方のリレースイッチ１１３がＣＰＵ７からの制御信号に基づいて切り替えられる。
【００６２】
以上のように、本実施例に係る負荷制御システムＳにおいては、各スイッチ装置１Ｄに割り当てられる制御対象負荷を自由に変更することができる。そして、各スイッチ装置１Ｄにおける操作用ハンドル１２の操作面１２１に現在の制御対象負荷を電子情報として表示させるようにしたので、各スイッチ装置１Ｄに割り当てられる制御対象負荷が変更される度に、利用者にその変更内容を容易に知らしめることが可能であり、利用者にとって非常に使い勝手の優れた負荷制御システムを提供することができる。
【００６３】
以上、本発明を実施する形態を説明したが、可能な限り各実施例は組み合せることができる。また、本発明の本旨を逸脱しない範囲内において上記した実施形態には種々の変更を加えることができる。
【符号の説明】
【００６４】
１・・・配線装置
２・・・取付枠
３・・・化粧プレート
５・・・電子ペーパー
１１・・・スイッチ本体
１２・・・操作用ハンドル
１２１・・・操作面
【図１】
0005792651.tif 000002
【図２】
0005792651.tif 000003
【図３】
0005792651.tif 000004
【図４】
0005792651.tif 000005
【図５】
0005792651.tif 000006
【図６】
0005792651.tif 000007
【図７】
0005792651.tif 000008
【図８】
0005792651.tif 000009
【図９】
0005792651.tif 000010
【図１０】
0005792651.tif 000011
【図１１】
0005792651.tif 000012
【図１２】
0005792651.tif 000013
【図１３】
0005792651.tif 000014